(57)【要約】【課題】大容量のバッグインボックス用外装箱で、段ボールに代え、紙粉の発生や虫、異物の混入の危惧のないバッグインボックス用外装箱及びその製造装置の提供。【解決手段】板紙でなる、１枚のメインシート１０と２枚のサブシート２０Ａ、２０Ｂでなり、メインシート１０は８角形状の底面板と、前面板１３、後面板とでなり、前面板及び後面板に連設する糊代片１５には接着剤が塗布され、前記サブシート２０Ａ、２０Ｂは、側面板２４Ａ、２４Ｂに天面板２１Ａ、２１Ｂが、両側にはコーナー側面板、サイド補強板が連設し、該サイド補強板の内側に接着剤が塗布され、それを１８０度折り曲げ圧着され、各折り線に従って仮折りされ、サブシート２０Ａ、２０Ｂを金型で成形され、成形されたサブシート２０Ａ、２０Ｂに、接着剤が塗布されたメインシート１０を金型で成形・貼合わされてなる単紙を用いたバッグインボックス用外装箱１である。【選択図】図１
2006327601.tif 000002
【特許請求の範囲】
【請求項１】
単紙でなる、１枚のメインシートと２枚のサブシートＡ、Ｂでなり、前記メインシートは四角形状の各コーナーがカットされた８角形状の底面板とその前後側辺に折り線を介して前面板と後面板が連設し、該前後側辺に直交する両側辺には折り線を介して糊代片が連設し、前記前面板および後面板の両側辺に折り線を介してコーナー側面板、糊代片が順に連設し、その上下辺には折り線を介して折込み片が連設し、前記各折り線で仮折りされ、前記糊代片には接着剤が塗布されてなり、
前記２枚のサブシートＡ、Ｂは、側面板Ａ、Ｂの上側辺に折り線を介して天面板Ａ、Ｂが連設し、該側面板Ａ、Ｂの両側辺にコーナー側面板、サイド補強板Ａ、Ｂが折り線を介して順に連設し、該サイド補強板Ａ、Ｂは前記天面板Ａ、Ｂ方向に折り線を介して該天面板Ａ、Ｂの長さで延びていて、該サイド補強板Ａ、Ｂの内側に接着剤が塗布され、前記サイド補強板Ａ、Ｂの折り線で内側に１８０度折り曲げ圧接着され、前記各折り線で仮折りされ、該仮折りされた２枚のサブシートＡ、Ｂが合わされ金型にて成形されてなり、
前記成形されたサブシートＡ、Ｂに前記接着剤が塗布されたメインシートを金型にて成形しながら貼り合わされてなることを特徴とする単紙を用いたバッグインボックス用外装箱。
【請求項２】
前記メインシートの前面板および後面板の所定の位置に把手用孔が穿設されていることを特徴とする請求項１記載の単紙を用いたバッグインボックス用外装箱。
【請求項３】
前記サブシートＡ、Ｂの天面板Ａ、Ｂの所定の位置に内部に収納される内装袋の注出口栓が固定される注出口栓固定用孔が穿設されていることを特徴とする請求項１乃至２のいずれか１項記載の単紙を用いたバッグインボックス用外装箱。
【請求項４】
前記メインシートの底面板を横切るように２本の平行するジッパー状切取り線が刻設されていることを特徴とする請求項１乃至３のいずれか１項記載の単紙を用いたバッグインボックス用外装箱。
【請求項５】
単紙でなる、四角形状の各コーナーがカットされた８角形状の底面板と、この前後側辺に折り線を介して連設する前面板と後面板とでなり、前記底面板の両側辺には折り線を介して糊代片が連設し、前記前面板と後面板の両側辺には折り線を介してコーナー側面板、糊代片が順に連設し、それらの上下辺には折り線を介して折込み片が連設しているメインシートを吸着・搬送する機構と、前記吸着・搬送されたメインシートを折り線に従い仮折りする機構と、前記折り線を介して連設する各糊代片に接着剤を塗布する機構とを具備し、
一方、単紙でなる、２方向から天面板Ａ、Ｂと側面板Ａ、Ｂが各々折り線を介して連設し、該側面板Ａ、Ｂの両側辺に折り線を介してコーナー側面板、前記天面板Ａ、Ｂ方向に該天面板Ａ、Ｂの長さで折り線を介して延びるサイド補強板Ａ、Ｂが連設するサブシートを吸着・搬送する機構と、前記サイド補強板Ａ、Ｂおよび各糊代片に接着剤を塗布する機構と、該接着剤が塗布されけたサイド補強板Ａ、Ｂを天面板方向から折り線を介して内側に１８０度折り曲げ圧着する機構と、前記サブシートＡ、Ｂを折り線に従い仮折りする機構と、前記サブシートＡ、Ｂを合わせて金型にて成形し、これらを吸着・搬送する機構とを具備し、
前記金型にて成形されたサブシートＡ、Ｂに、前記接着剤が塗布されたメインシートを金型にて成形しながら貼り合わせる機構を具備していることを特徴とする単紙を用いたバッグインボックス用外装箱の製造装置。
【請求項６】
前記メインシートの前面板および後面板の所定の位置に把手用孔を穿設する機構を具備していることを特徴とする請求項５記載の単紙を用いたバッグインボックス用外装箱の製
造装置。
【請求項７】
前記サブシートＡ、Ｂの天面板Ａ、Ｂの所定の位置に内部に収納される内装袋の注出口栓を固定する注出口栓固定用孔を穿設する機構を具備していることを特徴とする請求項５乃至６のいずれか１項記載の単紙を用いたバッグインボックス用外装箱の製造装置。
【請求項８】
前記メインシートの底面板を横切るように２本の平行するジッパー状切取り線を刻設する機構を具備していることを特徴とする請求項５乃至７のいずれか１項記載の単紙を用いたバッグインボックス用外装箱の製造装置。
【発明の詳細な説明】
【技術分野】
【０００１】
本発明は、外装箱内に液体が充填されている軟包装袋が収納されているバッグインボックスの外装箱およびその製造装置に関するものであり、特に、段ボール紙に於ける不具合（衛生性等）を解消する単紙を用いたバッグインボックス用外装箱およびその製造装置に関する。
【背景技術】
【０００２】
従来、各種飲料や調味料あるいは液体洗剤などを収納する容器として、ポリプロピレン樹脂（ＰＰ）、ポリエチレンテレフタレート樹脂（ＰＥＴ）、あるいはポリ塩化ビニル樹脂（ＰＶＣ）などのプラスチック製容器（ボトル）が広く用いられていた。
【０００３】
しかし、近年の廃棄物の増加が大きな社会問題となり、延いては資源保護の問題や省エネルギー・省資源問題とともに地球規模の環境問題となっている中で、プラスチックの使用量を減らした液体容器が望まれるようになってきた。
【０００４】
上記のような問題に鑑み、環境に配慮された液体容器、特に、内容量の大きい（２リッターから３０リッター程度の）業務用の液体容器として、段ボール製の外装箱とし、その内部に醤油等液体が充填されている注出口付プラスチックフィルム製の内装袋を収納させた複合容器（以下バッグインボックスという）が知られ、例えば、醤油、食用油、酒等食品類や洗剤、現像液等を収納する業務用の液体容器として広く普及している（例えば、特許文献１参照。）。
【０００５】
以下に、上記先行技術文献を示す。
【特許文献１】実公昭６２−１５１５４号公報
【発明の開示】
【発明が解決しようとする課題】
【０００６】
しかし、上記段ボール製の外装箱を有するバッグインボックスは、その段ボールの切り口などからの紙粉の発生や中芯の段（フルート）間への虫や異物の混入等の危惧があることから、特に食品（飲料等）用のバッグインボックスには忌避されるという問題点があった。
【０００７】
本発明は、かかる従来の段ボール製の外装箱でなるバッグインボックスの問題点を解決するものであり、その課題とするところは、プラスチックフィルム製の内装袋を収納するバッグインボックス用の外装箱として、板紙等単紙を用い、紙粉の発生や虫、異物の混入の危惧のない衛生性に配慮されたバッグインボックス用外装箱およびその製造装置を提供することにある。
【課題を解決するための手段】
【０００８】
本発明に於いて上記課題を達成するために、まず請求項１の発明では、単紙でなる、１枚のメインシートと２枚のサブシートＡ、Ｂでなり、前記メインシートは四角形状の各コーナーがカットされた８角形状の底面板と、その前後側辺に折り線を介して前面板と後面板が連設し、該前後側辺に直交する両側辺には折り線を介して糊代片が連設し、前記前面板および後面板の両側辺に折り線を介してコーナー側面板、糊代片が順に連設し、その上下辺には折り線を介して折込み片が連設し、前記各折り線で仮折りされ、前記糊代片には接着剤が塗布されてなり、
前記２枚のサブシートＡ、Ｂは、側面板Ａ、Ｂの上側辺に折り線を介して天面板Ａ、Ｂが連設し、該側面板Ａ、Ｂの両側辺にコーナー側面板、サイド補強板Ａ、Ｂが折り線を介して順に連設し、該サイド補強板Ａ、Ｂは前記天面板Ａ、Ｂ方向に折り線を介して該天面板Ａ、Ｂの長さで延びていて、該サイド補強板Ａ、Ｂの内側に接着剤が塗布され、前記サイド補強板Ａ、Ｂの折り線で内側に１８０度折り曲げ圧接着され、前記各折り線で仮折りされ、該仮折りされた２枚のサブシートＡ、Ｂが合わされ金型にて成形されてなり、
前記成形されたサブシートＡ、Ｂに前記接着剤が塗布されたメインシートを金型にて成形しながら貼り合わされてなることを特徴とする単紙を用いたバッグインボックス用外装箱としたものである。
【０００９】
また、請求項２の発明では、前記メインシートの前面板および後面板の所定の位置に把手用孔が穿設されていることを特徴とする請求項１記載の単紙を用いたバッグインボックス用外装箱としたものである。
【００１０】
また、請求項３の発明では、前記サブシートＡ、Ｂの天面板Ａ、Ｂの所定の位置に内部に収納される内装袋の注出口栓が固定される注出口栓固定用孔が穿設されていることを特徴とする請求項１乃至２のいずれか１項記載の単紙を用いたバッグインボックス用外装箱としたものである。
【００１１】
また、請求項４の発明では、前記メインシートの底面板を横切るように２本の平行するジッパー状切取り線が刻設されていることを特徴とする請求項１乃至３のいずれか１項記載の単紙を用いたバッグインボックス用外装箱としたものである。
【００１２】
また、請求項５の発明では、単紙でなる、四角形状の各コーナーがカットされた８角形状の底面板と、この前後側辺に折り線を介して連設する前面板と後面板とでなり、前記底面板の両側辺には折り線を介して糊代片が連設し、前記前面板と後面板の両側辺には折り線を介してコーナー側面板、糊代片が順に連設し、それらの上下辺には折り線を介して折込み片が連設しているメインシートを吸着・搬送する機構と、前記吸着・搬送されたメインシートを折り線に従い仮折りする機構と、前記折り線を介して連設する各糊代片に接着剤を塗布する機構とを具備し、
一方、単紙でなる、２方向から天面板Ａ、Ｂと側面板Ａ、Ｂが各々折り線を介して連設し、該側面板Ａ、Ｂの両側辺に折り線を介してコーナー側面板、前記天面板Ａ、Ｂ方向に該天面板Ａ、Ｂの長さで折り線を介して延びるサイド補強板Ａ、Ｂが連設するサブシートを吸着・搬送する機構と、前記サイド補強板Ａ、Ｂおよび各糊代片に接着剤を塗布する機構と、該接着剤が塗布されけたサイド補強板Ａ、Ｂを天面板方向から折り線を介して内側に１８０度折り曲げ圧着する機構と、前記サブシートＡ、Ｂを折り線に従い仮折りする機構と、前記サブシートＡ、Ｂを合わせて金型にて成形し、これらを吸着・搬送する機構とを具備し、
前記金型にて成形されたサブシートＡ、Ｂに、前記接着剤が塗布されたメインシートを金型にて成形しながら貼り合わせる機構を具備していることを特徴とする単紙を用いたバッグインボックス用外装箱の製造装置としたものである。
【００１３】
また、請求項６の発明では、前記メインシートの前面板および後面板の所定の位置に把手用孔を穿設する機構を具備していることを特徴とする請求項５記載の単紙を用いたバッグインボックス用外装箱の製造装置としたものである。
【００１４】
また、請求項７の発明では、前記サブシートＡ、Ｂの天面板Ａ、Ｂの所定の位置に内部に収納される内装袋の注出口栓を固定する注出口栓固定用孔を穿設する機構を具備していることを特徴とする請求項５乃至６のいずれか１項記載の単紙を用いたバッグインボックス用外装箱の製造装置としたものである。
【００１５】
さらにまた、請求項８の発明では、前記メインシートの底面板を横切るように２本の平行するジッパー状切取り線を刻設する機構を具備していることを特徴とする請求項５乃至７のいずれか１項記載の単紙を用いたバッグインボックス用外装箱の製造装置としたものである。
【発明の効果】
【００１６】
本発明は以上の構成であるから、下記に示す如き効果がある。
【００１７】
即ち、上記請求項１に係る発明によれば、バッグインボックス用外装箱全体が板紙等の単紙で構成されているので、従来のように段ボールで構成されているような紙粉の発生やフルート間への虫や異物の混入の危惧のないバッグインボックス用外装箱とすることができる。
【００１８】
また、前記サブシートＡ、Ｂを構成する側面板の両側辺にサイド補強板Ａ、Ｂが連設し、このサイド補強板Ａ、Ｂの内側に接着剤が塗布され、その略中央にある折り線で内側に１８０度折曲げ圧着（接着）されていることによって、単紙では得られない段ボールに相当する強度を有し、かつ四角形の各コーナーがカットされた８角形の筒状でなっているので、単紙でも段ボールに相当する強度を有するバッグインボックス用外装箱とすることができる。
【００１９】
さらにまた、前記各折り線で仮折りされるので、バッグインボックス用外装箱の仕上がりがシャープな８角形の筒状とすることができる。
【００２０】
また、上記請求項２に係る発明によれば、前記メインシートの前面板および後面板の所定の位置に把手用孔が穿設されていることによって、内容量の大きいバッグインボックス用外装箱に持ち運びが容易に可能な単紙を用いたバッグインボックス用外装箱とすることができる。
【００２１】
また、上記請求項３に係る発明によれば、前記サブシートＡ、Ｂの天面板Ａ、Ｂの所定の位置に内部に収納される内装袋の注出口栓が固定される注出口栓固定用孔が穿設されていることによって、内装袋の飲料等液体を注出口栓から安定して注出される単紙を用いたバッグインボックス用外装箱とすることができる。
【００２２】
また、上記請求項４に係る発明によれば、前記メインシートの底面板を横切るように２本の平行するジッパー状切取り線が刻設されていることによって、この単紙を用いたバックインボックス用外装箱が使用済みとなった際に、この２本のジッパー状切取り線から切り取ると容易に潰すことができる単紙を用いたバッグインボックス用外装箱とすることができる。
【００２３】
また、上記請求項５に係る発明によれば、単紙でなる、メインシートを吸着・搬送する機構と、該吸着・搬送されたメインシートを折り線に従い仮折りする機構と、前記折り線を介して連設する各糊代片に接着剤を塗布する機構とを具備した一連のメインシートの加工ラインと、
一方、単紙でなる、２方向からそれぞれサブシートＡ、Ｂを吸着・搬送する機構と、該サブシートＡ、Ｂに連設するサイド補強板Ａ、Ｂおよび各糊代片に接着剤を塗布する機構と、該ホットメルト接着剤が塗布されけたサイド補強板Ａ、Ｂを略中央の折り線を介して内側に１８０度折り曲げ圧着する機構と、前記サブシートＡ、Ｂを折り線に従い仮折りする機構と、前記サブシートＡ、Ｂを合わせて金型にて成形し、これらを吸着・搬送する機構とを具備した一連のサブシートの加工ラインと、
前記一連の加工ラインで得られたサブシートに、前記一連の加工手段で得られたメインシートを金型にて成形しながら貼り合わせる機構を具備していることによって、紙粉の発生や虫、異物の混入の危惧のない、かつ製造効率のよい単紙を用いたバッグインボックス用外装箱の製造装置とすることができる。
【００２４】
さらにまた、前記各折り線で仮折りする機構を具備しているので、得られるバッグインボックス用外装箱の仕上がりがシャープな８角形の筒状となる製造装置とすることができる。
【００２５】
また、上記請求項６に係る発明によれば、前記メインシートの前面板および後面板の所定の位置に把手用孔を穿設する機構を具備していることによって、内容量の大きいバッグインボックス用外装箱に持ち運びが可能な単紙を用いたバッグインボックス用外装箱の製造装置とすることができる。
【００２６】
また、上記請求項７に係る発明によれば、前記サブシートＡ、Ｂの天面板Ａ、Ｂの所定の位置に内部に収納される内装袋の注出口栓が固定される注出口栓固定用孔を穿設する機構を具備していることによって、内装袋の飲料等液体を注出口栓から安定して注出される単紙を用いたバッグインボックス用外装箱の製造装置とすることができる。
【００２７】
さらにまた、上記請求項８に係る発明によれば、前記メインシートの底面板を横切るように２本の平行するジッパー状切取り線を刻設する機構を具備していることによって、この単紙を用いたバッグインボックス用外装箱が使用済みとなった際に、この２本のジッパー状切取り線から切り取ることによって容易に潰すことができる単紙を用いたバッグインボックス用外装箱の製造装置とすることができる。
【００２８】
従って本発明は、外装箱内に飲料等液体が充填されている軟包装袋が収納されているバッグインボックス用外装箱およびその製造装置、特に、段ボール紙に於ける不具合（衛生性等）を解消する単紙を用いたバッグインボックス用外装箱およびその製造装置として、優れた実用上の効果を発揮する。
【発明を実施するための最良の形態】
【００２９】
以下本発明を実施するための最良の形態を図面を用いて詳細に説明する。
【００３０】
図１は、本発明の単紙を用いたバッグインボックス用外装箱の一事例の説明図であり、図２は、本発明の単紙を用いたバッグインボックス用外装箱の一事例を構成するメインシートとサブシートのブランクの展開図である。また、図３〜図４は、本発明の単紙を用いたバッグインボックス用外装箱の製造工程を説明する斜視図である。
【００３１】
本発明は、例えば、図１の斜視図に示すように、内部に醤油等液体が充填されている軟包装袋（図示せず）が収納されるバッグインボックス用外装箱（１）およびその製造装置に関するものであり、特に、段ボール紙に於ける不具合（紙粉の発生やフルート間への虫、異物の混入等）を解消する単紙を用いたバッグインボックス用外装箱（１）およびその製造装置で、さらに詳しくは、板紙等単紙でなる、２枚のサブシートＡ、Ｂ（２０Ａ、２０Ｂ）と１枚のメインシート（１０）とが合成されてなる単紙を用いたバックインボックス用外装箱（１）およびその製造装置に関するものである。
【００３２】
まず、上記請求項１に係る発明は、例えば、図２（ａ）および図２（ｂ）、図２（ｃ）の展開図に示すように、板紙でなる、１枚のメインシート（１０）と２枚のサブシートＡ（２０Ａ）、サブシートＢ（２０Ｂ）とでなり、このメインシート（１０）には、例えば、図２（ｃ）に示すように、四角形状の各コーナーがカットされた８角形状の底面板（１
１）と、その前後側辺に折り線を介して前面板（１３）と後面板（１２）が連設し、該前後側辺に直交する両側辺には折り線を介して糊代片（１５）が連設し、前記前面板（１３）および後面板（１２）の両側辺に折り線を介してコーナー側面板（１４）、糊代片（１５）が順に連設し、この後面板（１２）および前面板（１３）の上辺および下辺には折り線を介して折込み片（１７）が連設しているブランクが用いられる。
【００３３】
また、前記２枚のサブシートＡ、Ｂ（２０Ａ、２０Ｂ）には、例えば、図２（ａ）および図２（ｂ）の展開図に示すように、側面板Ａ、Ｂ（２４Ａ、２４Ｂ）の上側辺に折り線を介して天面板Ａ、Ｂ（２１Ａ、２１Ｂ）が連設し、この側面板Ａ、Ｂ（２４Ａ、２４Ｂ）の両側辺にコーナー側面板（２３Ａ、２３Ｂ）、サイド補強板Ａ、Ｂ（２２Ａ、２２Ｂ）が折り線を介して順に連設し、このサイド補強板Ａ、Ｂ（２２Ａ、２２Ｂ）は前記天面板Ａ、Ｂ（２１Ａ、２１Ｂ）方向に折り線を介してその長さで延びているブランクが用いられる。
【００３４】
上記サブシートＡ、Ｂ（２０Ａ、２０Ｂ）のブランクを用い、例えば、図３（ａ）および図３（ｂ）の斜視図に示すように、両側から搬送されるサブシートＡ、Ｂ（２０Ａ、２０Ｂ）のサイド補強板Ａ、Ｂ（２２Ａ、２２Ｂ）の内側に接着剤が塗布され、そのサイド補強板Ａ、Ｂ（２２Ａ、２２Ｂ）の折り線で内側に１８０度折り曲げ圧接着され、さらに各折り線で仮折りされ、図３（ｃ）の斜視図に示すように、仮折りされた２枚のサブシートＡ、Ｂ（２０Ａ、２０Ｂ）が合わされ、金型（４０）にて成形されたサブシート成形物（２）が得られる。
【００３５】
一方、上記図２（ｃ）に示すメインシート（１０）のブランクを用い、例えば、図４の斜視図に示すように、各折り線で仮折りされ、各糊代片（１５）にはホットメルト接着剤やコールドグルー接着剤が塗布され、前記成形されたサブシート成形物（２）に接着剤が塗布されたメインシート（１０）を金型にて成形しながら貼り合わされてなる単紙を用いたバッグインボックス用外装箱（１）である。
【００３６】
このように、従来の段ボールに代え、メインシート（１０）およびサブシートＡ、Ｂ（２０Ａ、２０Ｂ）でなる大容量のバッグインボックス用外装箱全体が板紙等の単紙で構成されているので、紙粉の発生やフルート間への虫や異物の混入の危惧のないバックインボックス用外装箱（１）とすることができ、また、サブシートＡ、Ｂ（２０Ａ、２０Ｂ）を構成する側面板（２４Ａ、２４Ｂ）の両側辺にサイド補強板Ａ、Ｂ（２２Ａ、２２Ｂ）が連設し、そのサイド補強板Ａ、Ｂ（２２Ａ、２２Ｂ）の内側に接着剤が塗布され、その略中央の折り線で内側に１８０度折曲げ圧接着されているので、単紙では得られない段ボールに相当する強度を有し、かつ胴部が四角形の各コーナーがカットされた８角形の筒状でなっているので、単紙でも段ボールに相当する強度を有するバッグインボックス用外装箱（１）とすることができる。
【００３７】
さらにまた、例えば、図３（ａ）および図３（ｂ）に示すように、サブシートＡ、Ｂの仮折り部（３６Ａ、３６Ｂ）で折り線に従い、仮折りされ、図４に示すように、メインシートの仮折り部（５２）で折り線に従い、仮折りされるので、図１に示す得られたバッグインボックス用外装箱（１）の仕上がりが、シャープな８角形の筒状を形成することができる。
【００３８】
また、上記請求項２に係る発明では、例えば、図１および図２（ｃ）に示すように、メインシート（１０）を構成する前面板（１３）および後面板（１２）の上部の位置に把手用孔（１６）が穿設されている単紙を用いたバッグインボックス用外装箱（１）とするものである。
【００３９】
このように、メインシート（１０）の前面板（１３）および後面板（１２）の上部の位置に把手用孔（１６）が穿設されていることによって、特に内容量の大きいバックインボックスでも、この把手用孔（１６）に手を掛けて容易に持ち運びが可能な単紙を用いたバッグインボックス用外装箱（１）とすることができる。
【００４０】
また、上記請求項３に係る発明では、例えば、図１および図２（ａ）、図２（ｂ）に示すように、サブシートＡ、Ｂ（２０Ａ、２０Ｂ）の天面板Ａ、Ｂ（２０Ａ、２０Ｂ）の所定の位置に、内部に収納される内装袋の注出口栓（図示せず）が固定される注出口栓固定用孔（２５Ａ、２５Ｂ）が穿設されているもので、図１に示すように、この天面板Ａ、Ｂ（２０Ａ、２０Ｂ）が閉じられた際にこの注出口栓固定用孔（２５Ａ、２５Ｂ）同士が一致するようになっている単紙を用いたバッグインボックス用外装箱（１）とするものである。
【００４１】
このように、サブシートＡ、Ｂ（２０Ａ、２０Ｂ）を構成する天面板Ａ、Ｂ（２０Ａ、２０Ｂ）の所定の位置に注出口栓（図示せず）が固定される注出口栓固定用孔（２５Ａ、２５Ｂ）が穿設されていることによって、内装袋に充填されている飲料等液体を注出口栓から安定して注出される単紙を用いたバッグインボックス用外装箱（１）とすることができる。
【００４２】
さらにまた、上記請求項４に係る発明では、例えば、図２（ｃ）に示すように、メインシート（１０）を構成する底面板（１１）に、それを横切るように２本の平行するジッパー状切取り線（１９）が刻設されている単紙を用いたバッグインボックス用外装箱（１）とするものである。
【００４３】
このように、メインシート（１０）の底面板（１１）に２本の平行するジッパー状切取り線（１９）が刻設されていることによって、この単紙を用いたバッグインボックス用外装箱（１）が使用済みとなった際に、この２本のジッパー状切取り線（１９）から切り取ると容易に潰すことができ、リサイクルし易い単紙を用いたバッグインボックス用外装箱（１）とすることができる。
【００４４】
上記単紙を用いたバッグインボックス用外装箱（１）に使用される単紙としては、そのサイズ（液体の内容量）によっても異なるが、坪量１６０〜３００ｇ／ｍ2 程度のマニラボール、コートボール、ノーコートボール、チップボール、黄ボール、クラフトボール等板紙が挙げられ、印刷の有無や液体内容物の種類なども考慮の上適宜選定することができる。また、上記板紙を２枚貼り合わせたものを用いることもできる。
【００４５】
また、メインシート（１０）およびサブシートＡ、Ｂ（２０Ａ、２０Ｂ）の糊代片（１５）およびサブシートＡ、Ｂ（２０Ａ、２０Ｂ）のサイド補強板Ａ、Ｂ（２２Ａ、２２Ｂ）に塗布される接着剤としては、ホットメルト型接着剤あるいはコールドグルー接着剤が使用される。
【００４６】
上記ホットメルト型接着剤としては、例えば、エチレン／酢酸ビニル共重合体（ＥＶＡ）を主体とし、これにワックス、粘着付与樹脂、可塑剤、充填剤等をブレンドされているものが最も一般的であり、ここで使用されるものとしては、軟化点１０３〜１０４℃で、粘度１，０００／１７０、７５０〜８５０／１８０ｃＰ／℃のカートン用などが挙げられ、これら接着剤をノズル型アプリケーターなどで部分塗布で好適に使用される。
【００４７】
また、上記コールドグルー接着剤としては、ポリ酢酸ビニル系（ＰＶＡｃ系）、エチレン／酢酸ビニル共重合体（ＥＶＡ）、ポリアクリル酸エステル系、ポリ塩化ビニル系等のエマルジョン接着剤が挙げられ、フレキソ版などで部分塗布することができる。
【００４８】
また、上記請求項５に係る発明は、例えば、図３（ａ）、図３（ｂ）および図３（ｃ）に示すように、２方向、すなわちサブシートＡ、Ｂの加工ラインで加工されたサブシートＡ、Ｂ（２０Ａ、２０Ｂ）を合わせて金型で成形し、図４の斜視図に示すように、上記で成形されたサブシート成形物（２）に、接着剤が塗布されたメインシート（１０）を金型にて成形しながら貼り合わせて単紙を用いたバッグインボックス用外装箱（１）とする製造装置である。
【００４９】
上記単紙を用いたバッグインボックス用外装箱（１）の製造装置を、さらに詳しく説明すると、例えば、図４に示すように、メインシートの加工ラインとして、メインシートマガジン（４２）内から、板紙でなる、８角形状の底面板（１１）と、これに連設する後面板（１２）と前面板（１３）とでなり、それぞれに糊代片が連設しているメインシート（１０）を吸着・搬送するメインシート吸着・搬送部（５０）と、この吸着・搬送されたメインシート（１０）を折り線に従い仮折りするメインシート仮折り部（５２）と、前記各糊代片に接着剤を塗布するメインシート接着剤塗布部（５４）とを具備している。
【００５０】
一方、図３（ａ）および図３（ｂ）の斜視図に示すように、２方向のサブシートマガジンＡ、Ｂ（４２Ａ、４２Ｂ）内から、板紙でなる、天面板Ａ、Ｂ（２１Ａ、２１Ｂ）と側面板Ａ、Ｂ（２４Ａ、２４Ｂ）が連設し、これらの両側辺にコーナー側面板、該天面板Ａ、Ｂ（２１Ａ、２１Ｂ）方向に延びるサイド補強板Ａ、Ｂ（２２Ａ、２２Ｂ）が連設するサブシートＡ、Ｂ（２０Ａ、２０Ｂ）を吸着・搬送するサブシート吸着・搬送部（３０Ａ、３０Ｂ）と、このサイド補強板Ａ、Ｂ（２２Ａ、２２Ｂ）および各糊代片に接着剤を塗布するサブシート接着剤塗布部（３２Ａ、３２Ｂ）と、接着剤が塗布されけたサイド補強板Ａ、Ｂ（２２Ａ、２２Ｂ）を天面板方向から折り線を介して内側に１８０度折り曲げ圧着するサブシート折り曲げ圧着部（３４Ａ、３４Ｂ）と、このサブシートＡ、Ｂ（２０Ａ、２０Ｂ）を折り線に従い仮折りするサブシート仮折り部（３６Ａ、３６Ｂ）とを具備し、さらに、例えば、図３（ｃ）の斜視図に示すように、これらサブシートＡ、Ｂ（２０Ａ、２０Ｂ）を合わせ、金型（４０）にて成形するサブシート成形部（３８ＡＢ）とを具備している。
【００５１】
上記サブシート成形部（３８ＡＢ）で成形されたサブシート成形物（２）に、例えば、図４の斜視図に示すように、接着剤が塗布されたメインシート（１０）を金型にて成形しながら貼り合わせるメインシート成形部（５６）とを具備し、このメインシート成形部（５６）で得られた単紙を用いたバッグインボックス用外装箱（１）をデリバリー部（５８）で排出する製造装置である。
【００５２】
このように、図４に示す一つのメインシート（１０）の加工ラインと図３（ａ）および図３（ｂ）に示す二つのサブシートＡ、Ｂ（２０Ａ、２０Ｂ）の加工ラインが同時に稼働して単紙を用いたバッグインボックス用外装箱（１）とするもので、製造効率のよい単紙を用いたバッグインボックス用外装箱の製造装置とすることができる。
【００５３】
また、上記請求項６に係る発明では、例えば、図１に示すメインシート（１０）の前面板（１３）および後面板（図示せず）の上部に把手用孔（１６）を穿設する打抜部（図示せず）を具備しているもので、この打抜部は、図２（ｃ）に示すメインシート（１０）のブランク作製時の抜き型で成される構成となっている。
【００５４】
また、上記請求項７に係る発明では、例えば、図１に示すサブシートＡ、Ｂ（２０Ａ、２０Ｂ）の天面板Ａ、Ｂ（２１Ａ、２１Ｂ）の所定の位置に、内部に収納される内装袋の注出口栓（図示せず）を固定する注出口栓固定用孔（２５Ａ、２５Ｂ）を穿設する打抜部（図示せず）を具備しているもので、この打抜部は、図２（ａ）および図２（ｂ）に示す
サブシートＡ、Ｂ（２０Ａ、２０Ｂ）のブランク作製時の抜き型で成される構成となっている。
【００５５】
さらにまた、上記請求項８に係る発明では、例えば、図２（ｃ）に示すメインシート（１０）の底面板（１１）を横切るように２本の平行するジッパー状切取り線（１９）を刻設する打抜部（図示せず）を具備しているもので、この打抜部は、図２（ｃ）に示すメインシート（１０）のブランク作製時の抜き型で成される構成となっている。
【００５６】
以上のように、メインシート（１０）に把手用孔（１６）を穿設する打抜部と、サブシートＡ、Ｂ（２０Ａ、２０Ｂ）に注出口栓固定用孔Ａ、Ｂ（２５Ａ、２５Ｂ）を穿設する打抜部と、メインシート（１０）の底面板（１１）を横切るように２本の平行するジッパー状切取り線（１９）を刻設する打抜部とを具備していることによって、内容量の大きいバッグインボックス用外装箱に持ち運びが可能で、かつ内装袋の飲料等液体を注出口栓から安定して注出され、かつまたこのバッグインボックス用外装箱が使用済みとなった際に、この２本のジッパー状切取り線から切り取ることによって容易に潰すことができる単紙を用いたバッグインボックス用外装箱の製造装置とすることができる。
【図面の簡単な説明】
【００５７】
【図１】本発明の単紙を用いたバッグインボックス用外装箱の一事例を説明するための斜視図である。
【図２】本発明の単紙を用いたバッグインボックス用外装箱の一事例を構成するブランクを説明するもので、（ａ）は、サブシートＡの展開図であり、（ｂ）は、サブシートＢの展開図であり、（ｃ）は、メインシートの展開図である。
【図３】本発明の単紙を用いたバッグインボックス用外装箱の製造装置の一事例を説明するもので、（ａ）は、サブシートＢの製造ラインの斜視図であり、（ｂ）は、サブシートＡの製造ラインの斜視図であり、（ｃ）は、サブシートＡとサブシートＢの成形部の斜視図である。
【図４】本発明の単紙を用いたバッグインボックス用外装箱の製造装置の一事例を説明するもので、メインシートの製造ラインの斜視図である。
【符号の説明】
【００５８】
１‥‥単紙を用いたバッグインボックス用外装箱
２‥‥サブシート成形物
１０‥‥メインシート
１１‥‥底面板
１２‥‥後面板
１３‥‥前面板
１４‥‥コーナー側面板
１５‥‥糊代片
１６‥‥把手孔
１７‥‥折り込み片
１９‥‥ジッパー状切取り線
２０Ａ‥‥サブシートＡ
２０Ｂ‥‥サブシートＢ
２１Ａ‥‥天面板Ａ
２１Ｂ‥‥天面板Ｂ
２２Ａ‥‥サイド補強板Ａ
２２Ｂ‥‥サイド補強板Ｂ
２３Ａ‥‥コーナー側面板Ａ
２３Ｂ‥‥コーナー側面板Ｂ
２４Ａ‥‥側面板Ａ
２４Ｂ‥‥側面板Ｂ
２５Ａ‥‥注出口固定用孔Ａ
２５Ｂ‥‥注出口固定用孔Ｂ
２６Ａ‥‥糊代片Ａ
２６Ｂ‥‥糊代片Ｂ
３０Ａ‥‥サブシートＡの吸着・搬送部
３０Ｂ‥‥サブシートＢの吸着・搬送部
３２Ａ‥‥サブシートＡの接着剤塗布部
３２Ｂ‥‥サブシートＢの接着剤塗布部
３４Ａ‥‥サブシートＡの折り曲げ圧着部
３４Ｂ‥‥サブシートＢの折り曲げ圧着部
３６Ａ‥‥サブシートＡの仮折り部
３６Ｂ‥‥サブシートＢの仮折り部
３８ＡＢ‥‥サブシートＡＢの成形部
４０‥‥金型
４２‥‥メインシートマガジン
４２Ａ‥‥サブシートＡマガジン
４２Ｂ‥‥サブシートＢマガジン
５０‥‥メインシートの吸着・搬送部
５２‥‥メインシートの仮折り部
５４‥‥メインシートの接着剤塗布部
５６‥‥メインシートの成形部
５８‥‥単紙を用いたバッグインボックス用外装箱のデリバリー部
【図１】
2006327601.tif 000003
【図２】
2006327601.tif 000004
【図３】
2006327601.tif 000005
【図４】
2006327601.tif 000006